(57)【要約】【課題】海苔養殖作業舟が収穫等の際に、海に浮いている海苔網の下に入り込むための省力化装置を得る。【解決手段】  左右の舟縁の間に回転自在に支持された支軸７から細長い案内部材６が直角方向に延びている。案内部材は主軸６ａと、それを両側から補強する２本の補強材６ｂから成る。主軸６ａは「く」の字型に折曲しており、案内部材を前に倒したとき、折曲部より先の主軸部分が舳先から斜め下方に延び、その先端が海中に没するような長さを有している。案内部材６を起倒するために、支軸７を回動するアクチュエータ９を設ける。【選択図】図１
2005168439.tif 000002
【特許請求の範囲】
【請求項１】
舟上に回動自在に支持され、前に倒したとき、舳先から斜め下方に延びて先端が水中に没水する細長い案内部材を有し、舟を前に進めながら、水面付近にある網または索を該案内部材で案内して舟上に導くようにした索等のすくい上げ機。
【請求項２】
該案内部材が、舳先を跨ぐように、略「く」の字型に折曲している請求項１に記載の索等のすくい上げ機。
【請求項３】
該案内部材に沿って舟上に導かれた索を、さらに後方まで導くための案内レールを設けた請求項１または２に記載の索等のすくい上げ機。
【請求項４】
該案内部材を回動するためにアクチュエータを設けた請求項１、２または３に記載の索等のすくい上げ機。
【発明の詳細な説明】
【技術分野】
【０００１】
本発明は、海苔養殖作業舟が海に浮いている海苔網の下に入り込むための装置に関する。
【背景技術】
【０００２】
海苔網は、その両端に錨から延びる支持索を結び付けて、海面に固定されている（図３参照）。海苔の摘み取り作業は、海面に浮いている海苔網の下に作業舟をくぐらせ、作業舟を海苔網に沿って移動させながら、摘み取り機を使って網に付着している海苔を摘み取る。作業舟を海苔網の下にくぐらせるには従来、作業舟の舳先に人が立ち、持っている竿で索を舟上にすくい上げ、索の下に舟をくぐらせるようにしていた。このような索のすくい上げ作業は多大の労力を要するだけでなく、このすくい上げ作業のため、乗組員が一人余計に必要であった。
【発明の開示】
【発明が解決しようとする課題】
【０００３】
この発明は、海苔網のすくい上げ作業を自動化して、乗組員の省力化を図ることを課題とする。
【課題を解決するための手段】
【０００４】
この発明のすくい上げ機は舟上に回動自在に支持され、前に倒したとき、舳先から斜め下方に延びて先端が水中に没水する細長い案内部材を有し、舟を前に進めながら、海面付近にある網または索を該案内部材で案内して舟上に導くようにしたものである（請求項１）。使用するときは、案内部材を前に倒した状態で、すくい上げようとする網または索に向かって、舟をゆっくり前進させる。こうすると、案内部材が舳先から斜め下方に水中に延びているので、この案内部材に網や索が引っかかり、次いで、引っかかった網または索は斜めの案内部材に案内されて舟上に上がって来る。
【０００５】
案内部材は人力で回動することもできないことはないが、アクチュエータを設けてこれで駆動させるようにすれば、確実に省力化が図れる（請求項４）。
【０００６】
案内部材は真っ直ぐなものでもよいが、真っ直ぐであると、先端を海面下に沈めるために、台座を設けるなどして案内部材の根元を高い位置に支持しなければならない。そこで案内部材は略「く」の字型に折曲したものを用いることが望ましい（請求項２）。こうすると「く」の字型の案内部材が、舳先を跨ぐことができるので、案内部材の根元を高い位置に取り付ける必要がない。
【０００７】
海苔摘み機は舟の中央部に設置されているので、案内部材だけで網をその上に案内するには無理がある。そこで、案内部材で舟上に導かれた網または索をさらに、舟の中央の方まで導くための案内レールを設けることができる（請求項３）。案内レールは邪魔にならなければ、固定式のものでよい。
【０００８】
以上説明したように、この発明装置を備えることで、海苔摘み舟が簡単に海苔網の下に入り込むことができ、舟の省力化に大いに寄与することができる。
【発明を実施するための最良の形態】
【０００９】
図１および図２に示す海苔養殖作業舟１は長さ10mほどあり、その中央部には、海苔網を引き寄せるためのドラム型ウインチ２および海苔網に付いている海苔を摘み取るための海苔摘み機３を左右に並べて設置してある。この舟の舟首部にすくい上げ機５を設置する。
【００１０】
すくい上げ機５は細長い案内部材６を有しており、この案内部材は、左右の舟縁の間に回転自在に支持された支軸７から直角方向に延びている。案内部材は主軸６ａと、それを両側から補強する２本の補強材６ｂから成る。主軸および２本の補強材のいずれも、根元が支軸７に固定されており、補強材は斜めに延びて先端が主軸６ａの略中央に固定されている。主軸６ａは「く」の字型に折曲しており、折曲部より先端側は軽量化のため、ＦＲＰのポールを用いている。主軸は前に倒したとき、折曲部より先の部分が舳先から斜め下方に延び、その先端が海中に没するような長さを有している。
【００１１】
案内部材６を起倒するために、支軸７を回動するアクチュエータ９を設ける。アクチュエータは、様々のものが考えられるが、ここでは、長さが伸縮するリニアアクチュエータ、それも電動モータ駆動のものを用いた。油圧が使える場合には、もちろん油圧シリンダでもよい。リニアアクチュエータ９の一端は舟体に取り付け、他端は、支軸７に固定した短いレバー１０の先にピン１１で接合する。したがって、リニアアクチュエータを伸長すると、図１に鎖線で示すように案内部材６が立ち上がり、収縮させると同図に実線で示すように、案内部材が前に倒れる。
【００１２】
案内部材６は、通常時には起立させておき、舟が海苔網に近づいたら、アクチュエータを操作して、案内部材を前に倒す。操船とアクチュエータの操作が一人でできるように、アクチュエータ９は舟の後部（操船位置）から遠隔操作できるようにしておく。符号１２は舟首から後に向かって、やや尻上がりに延びる案内レールである。
【００１３】
海苔摘み舟１は、図３に示すように、案内部材６を前に倒した状態で、海苔網２０を張っている、アンカー２２から延びる支持索２１に向かってゆっくりと舟を進め、支持索を案内部材の主軸に引っかけるようにする。支持索２１を引っ掛けたまま、さらに舟を進めると、主軸６ａが傾斜しているので、図１に矢印２３ａで示すように、支持索２１が主軸によってすくい上げられる格好で主軸に沿って上がって来る。こうして主軸に沿って舟上に上がった支持索は、矢印２３ｂに示すように、主軸６ａから案内レール１２に乗り移り、案内レールに沿って後方に移動する。最後に、矢印２３ｃに示すように、索２１は案内レール１２の終端から舟上のドラム式ウインチ２および海苔摘み取り機３の上に落ちる。この支持索２１を人手で引寄せると舟の上に海苔網２０が上がって来るので、この網を、図１および図２に鎖線で示すように、ドラム型ウインチ２および海苔摘み機３にセットする。この後は、海苔網２０がドラムウインチ２で引寄せられ、舟は海苔網に沿ってゆっくり横移動する（この状態の舟を図３に符号２５で示す。）。こうして舟が網に沿って横移動しながら、舟上の摘み機３で網に付いているの海苔を刈り取って収穫する。
【図面の簡単な説明】
【００１４】
【図１】海苔養殖作業舟の側面図である。
【図２】同じく平面図である。
【図３】海苔摘み作業における舟の動きを示す平面図である。
【符号の説明】
【００１５】
１    舟
５    すくい上げ機    
６    案内部材
９    アクチュエータ
１２  案内レール
２０  海苔網
２１  支持索
【図１】
2005168439.tif 000003
【図２】
2005168439.tif 000004
【図３】
2005168439.tif 000005